(57)【要約】【課題】並列する試験相以外の相を防護部材で覆わなくとも安全に接続用端子を高電圧母線へ接続することができ、また、作業員が常時保持することなく、接続用端子を高電圧母線への接続状態を維持させることが可能な、配電塔人工接地用接続端子を提供することにある。【解決手段】この配電塔人工接地用接続端子２０は、配電用のＬ字ブラケット１０３に対して、６ｋＶ母線１０６が連結された連結プレート１０５と共に、ボルト１０４による共締めにより固定されている。【選択図】図１
2007285820.tif 000002
【特許請求の範囲】
【請求項１】
配電塔内部に配設された高電圧母線の人工接地試験に用いるための配電塔人工接地用接続端子であって、
金属製のベースプレート(21)と、
前記ベースプレート(21)に対して連続して設けられ、外部に設けられた接続用端子の接続が可能な金属製の受入筒状凹部(22c)を有する受け端子(22)と、を備え、
前記ベースプレート(21)の法線(L1)と、前記受入筒状凹部(22c)の軸線(L2)とは、前記受入筒状凹部(22c)の開口部側において、前記ベースプレート(21)から遠ざかる方向において近接するように設けられる、配電塔人工接地用接続端子。
【請求項２】
前記受け端子(22)の外周面は、前記受入筒状凹部(22c)の開口部を除き絶縁部材(23)により覆われている、請求項１に記載の配電塔人工接地用接続端子。
【発明の詳細な説明】
【技術分野】
【０００１】
配電塔の精密点検および人工接地試験に用いられる配電塔人工接地用接続端子に関する。
【背景技術】
【０００２】
従来、配電塔の精密点検および人工接地試験が行なわれている。この人工接地試験は、接地検出継電器の不具合を試験するもので、総合動作試験を行なう。人工接地試験は、停電線路で実施するのではなく、実際に負荷が加わった電線路で試験を実施することから、配電線事故・感電災害につながるおそれがある。そこで、試験中は細心の注意をはらい慎重に試験を実施している。
【０００３】
人工接地試験においては、６ｋＶ母線への接続を実施している。図５は、配電塔の配電内部１００を模式的に示す図であり、上部プレート１０１に、碍子１０２を介して、配電用のＬ字ブラケット１０３が取付けられている。このＬ字ブラケット１０３には、６ｋＶ母線１０６が連結された連結プレート１０５が、ボルト１０４により締結されている。図５おいては、６ｋＶ母線１０６が３列に配列された状態を示している。
【０００４】
人工接地試験中においては、図６に示すように、作業員が、人工接地接続棒１１を把持した状態で行なわれる。具体的には、人工接地接続棒１１の先端に、接地ケーブル１３が連結された接続用端子（クリッププレート）１２が取付けられ、この接続用端子１２に設けられたフック１２ａを、連結プレート１０５に設けられたリング１０５ａに引っ掛けている。
【０００５】
上述した人工接地試験中においては、作業員が、リング１０５ａに接続用端子１２のフック１２ａを引っ掛ける必要があることから、並列する試験相以外の相への接触を防止するために、図６に示すように、並列する試験相以外の相を防護部材２０１で覆う必要がある。また、人工接地試験中は、作業員が起立した状態で、接続用端子１２を見上げながら、人工接地接続棒１１を常時保持し、接続用端子１２の６ｋＶ母線１０６への接続を維持させておく必要があるが、不注意により接続が外れ、効率良く試験を行なうことができない問題がある。
【０００６】
以上、本願に係る発明についての背景の技術を、出願人の知得した一般的技術情報に基づいて説明したが、出願人の記憶する範囲において、本願の出願前までに先行技術文献情報として開示すべき情報を出願人は有しておらず、かつ、本願に先行する出願人自身の特許出願等についても認識していない。
【発明の開示】
【発明が解決しようとする課題】
【０００７】
この発明が解決しようとする課題は、配電塔の精密点検および人工接地試験において、並列する試験相以外の相を防護部材で覆う必要がある点、作業員の保持により、接続用端子を６ｋＶ母線への接続状態を維持させておく必要がある点にある。したがって、この発明は、上記課題を解決するためになされたものであり、並列する試験相以外の相を防護部材で覆わなくとも安全に接続用端子を高電圧母線へ接続することができ、また、作業員が常時保持することなく、接続用端子を高電圧母線への接続状態を維持させることが可能な、配電塔人工接地用接続端子を提供することにある。
【課題を解決するための手段】
【０００８】
この発明に基づいた配電塔人工接地用接続端子においては、配電塔内部に配設された高電圧母線の人工接地試験に用いるための配電塔人工接地用接続端子であって、金属製のベースプレートと、上記ベースプレートに対して連続して設けられ、外部に設けられた接続用端子の接続が可能な金属製の受入筒状凹部を有する受け端子とを備えている。さらに、上記ベースプレートの法線と、上記受入筒状凹部の軸線とは、上記受入筒状凹部の開口部側において、上記ベースプレートから遠ざかる方向において近接するように設けられている。
【発明の効果】
【０００９】
この発明に基づいた配電塔人工接地用接続端子によれば、配電塔人工接地用接続端子のベースプレートを高電圧母線に予め連結させている。これにより、受入筒状凹部に外部に設けられた接続用端子を挿入して接続させることで、接続用端子に連結された接地ケーブルと高電圧母線とを接続させることが可能となる。また、受入筒状凹部に接続用端子を挿入させて、高電圧母線と接地ケーブルとの接続状態を維持させておくことが可能となる。その結果、配電塔人工接地試験において、並列する試験相以外の相を防護部材で覆わなくとも安全に接続用端子を高電圧母線に接続することができ、また、作業員が常時保持することなく、接続用端子の高電圧母線への接続状態を維持させることが可能となる。
【発明を実施するための最良の形態】
【００１０】
以下、この発明に基づいた実施の形態における配電塔人工接地用接続端子について図１から図４を参照しながら説明する。なお、配電塔の内部における６ｋＶ母線の設置形態は、上記図５および図６と同様であるため、重複する説明は繰り返さないこととし、また、同一または相当部分については、同一の参照番号を付すものとする。また、図１は、本実施の形態における配電塔人工接地用接続端子２０の取り付け状態を示す図であり、図２は、この配電塔人工接地用接続端子２０の構造を示す全体図であり、図３は、配電塔人工接地用接続端子２０の詳細構造を示す全体図である。また、図４は、配電塔人工接地用接続端子２０と外部の接続用端子３１との接続状態を示す全体図である。
【００１１】
まず、図１を参照して、本実施の形態における配電塔人工接地用接続端子２０の取り付け状態について説明する。この配電塔人工接地用接続端子２０は、配電用のＬ字ブラケット１０３に対して、６ｋＶ母線１０６が連結された連結プレート１０５と共に、ボルト１０４による共締めにより固定されている。このように、本実施の形態における配電塔人工接地用接続端子２０は、予め、図１に示すように配電用のＬ字ブラケット１０３に連結固定されている。
【００１２】
次に、図２および図３を参照して、本実施の形態における配電塔人工接地用接続端子２０の具体的構成について説明する。この配電塔人工接地用接続端子２０は、金属製のベースプレート２１と、このベースプレート２１に対して連続して設けられ、外部に設けられた接続用端子の接続が可能な金属製の受入筒状凹部２２ｃを有する受け端子２２とを備えている。ベースプレート２１には６０ｓｑ銅管端子が流用され、円筒部２１ａ、プレート部２１ｂ、および、このプレート部２１ｂには、固定用のボルトを通過させるためのボルト孔２１ｃが２箇所設けられている。また、円筒部２１ａには、受入筒状凹部２２ｃを形成する金属製の筒状部材２２ｂ（本実施の形態では、新架空作業接地用の受け端子）が溶接により接続されている。
【００１３】
また、プレート部２１ｂの円筒部２１ａ近傍領域においては、筒状部材２２ｂが設けられる側に折り曲げられ、プレート部２１ｂに対して円筒部２１ａが傾斜する形態となっている。より具体的には、ベースプレート２１のプレート部２１ｂの法線(Ｌ１)と、受入筒状凹部２２ｃの軸線（Ｌ２）とは、受入筒状凹部２２ｃの開口部側において、プレート部２１ｂから遠ざかる方向において近接するように設けられている。プレート部２１ｂの折り曲げ後の角度（θ１）は、約１２５度〜１５５度程度であることが好ましい。
【００１４】
このように、プレート部２１ｂを折り曲げ、円筒部２１ａを傾斜させることにより、配電塔人工接地用接続端子２０をＬ字ブラケット１０３に連結固定させた状態においては（図１参照）、受入筒状凹部２２ｃが下方を向くようになり、見上げた状態で作業を行なう作業者が、受入筒状凹部２２ｃに容易に接続用端子を挿入接続させることを可能とする。
【００１５】
また、本実施の形態における配電塔人工接地用接続端子２０においては、受け端子２２の外周面（円筒部２１ａおよび筒状部材２２ｂの外周面）は、受入筒状凹部２２ｃの開口部を除き絶縁部材２３により覆われている。これにより、並列する試験相への接触による短絡が回避できることから、並列する試験相以外の相を防護部材で覆う必要がなくなる。
【００１６】
次に、図４を参照して、本実施の形態における配電塔人工接地用接続端子２０と接地ケーブル１３が連結された接続用端子３１との接続状態について説明する。接地ケーブル１３の端部には、接続用端子３１を構成する端子ヘッド３１ａが連結されており、接続用端子３１を構成する連結棒端子３１ｂにより、端子ヘッド３１ａが配電塔人工接地用接続端子２０に接続固定されている。連結棒端子３１ｂの固定時には、図６に示した人工接地接続棒(絶縁棒）を用いて、容易に接続させることが可能である。
【００１７】
以上、本実施の形態に基づいた配電塔人工接地用接続端子２０によれば、配電塔人工接地用接続端子２０のベースプレート２１を高電圧母線（６ｋＶ母線）に予め連結させておくことで、受入筒状凹部２２ｃに外部に設けられた接続用端子３１を挿入して接続させることで、接続用端子３１に連結された接地ケーブル１０６と高電圧母線（６ｋＶ母線）とを接続させることが可能となる。また、受入筒状凹部２２ｃに連結棒端子３１ｂを挿入させて、高電圧母線（６ｋＶ母線）と接地ケーブル１０６との接続状態を維持させておくことが可能となる。その結果、配電塔人工接地試験において、並列する試験相以外の相を防護部材で覆わなくとも安全に接続用端子３１を高電圧母線（６ｋＶ母線）に接続することができ、また、作業員が常時保持することなく、接続用端子３１の高電圧母線（６ｋＶ母線）への接続状態を維持させることが可能となる。
【００１８】
以上、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【図面の簡単な説明】
【００１９】
【図１】この発明に基づいた実施の形態における配電塔人工接地用接続端子の取り付け状態を示す図である。
【図２】この発明に基づいた実施の形態における配電塔人工接地用接続端子の構造を示す全体図である。
【図３】この発明に基づいた実施の形態における配電塔人工接地用接続端子の詳細構造を示す全体図である。
【図４】この発明に基づいた実施の形態における電塔人工接地用接続端子と外部の接続用端子との接続状態を示す全体図である。
【図５】背景技術における配電塔の配電内部を模式的に示す図である。
【図６】背景技術における配電塔の人工接地試験の状態を示す図である。
【符号の説明】
【００２０】
１３  接地ケーブル、２０  配電塔人工接地用接続端子、２１  ベースプレート、２１ａ  円筒部、２１ｂ  プレート部、２１ｃ  ボルト孔、２２  受け端子、２２ｂ  筒状部材、２２ｃ  受入筒状凹部、２３  絶縁部材、３１  接続用端子、３１ａ  端子ヘッド、３１ｂ  連結棒端子、１００  配電内部、１０３  Ｌ字ブラケット、１０４  ボルト、１０５  連結プレート、１０６  ６ｋＶ母線。
【図１】
2007285820.tif 000003
【図２】
2007285820.tif 000004
【図３】
2007285820.tif 000005
【図４】
2007285820.tif 000006
【図５】
2007285820.tif 000007
【図６】
2007285820.tif 000008